(57)【要約】      （修正有）【課題】波エネルギーを利用した発電装置を、さらに効率化する。【解決手段】海中から海面上に立ち上げた楕円形状の複合支柱からなる側壁２を両側に設置し、寄せ波１９引き波２０の通路２６を作り、その通路２６を波が行き来し波の通路２６に水鳥の足の形状の半浮体上端軸４のところに、異なった角度のレバー３を設けた波動板１６を設置し、波動板１６レバー３は一体であり、波動板は寄せ波１９引き波２０に逆らうことなく軸４を中心に動き、レバー３の両端に接続されたチェーン７からなる複合伝動棒５は波動板１６が動くことにより交互に往復運動起こし、はずみ車１４が接続された一方向回転歯車８を回転させ、はずみ車１４に接続されたローラー１１は変速ローラー３２を回転させ変速された回転で発電機１５を回し発電する。【選択図】図４
2009150373.tif 000002
【特許請求の範囲】
【請求項１】
海中から海面上に立ち上げた楕円形状の複合支柱からなる側壁を両側に設置し寄せ波と引き波の通路を作り、その間を波が行ったり来たり、その通路に、水鳥の足の形状上端軸のところに異なった角度のレバーのある波動板を設置し、上端レバーは波動板と一体でありレバーの両端にチェーンからなる複合伝動棒を接続、複合伝動棒は波動板が上端の軸を中心に波に逆らうことなく動くことにより、レバーも動き伝動棒は交互に往復運動を起こし、はずみ車が接続された一方向回転歯車を回転させ、はずみ車に接続されたローラーは変速ローラーを回し調整された回転により発電することを特徴とする、寄せ波、引き波からなる発電装置。
【請求項２】
海中から海面上に立ち上げた楕円形状の複合支柱からなる側壁を両側に設置し波の通路をつくり、波の通路が複数であり、通路が長くその通路に、水鳥の足の形状上端軸のところに異なった角度のレバーのある波動板、レバーと波動板は一体であり、波動板を異なった位置に設置することにより、他の波動板が波を感じて動くまでに時差が生じるため、レバーから複合伝動棒、一方向回転歯車を経て受ける、はずみ車は波エネルギーをより長く蓄えることができ、はずみ車の回転力はさらに強力な回転力を蓄え、変速ローラーを回し調整された回転により発電することを特徴とする、寄せ波、引き波からなる発電装置。
【発明の詳細な説明】
【技術分野】
【０００１】  本発明は、寄せ波引き波のエネルギーを利用して発電するシステムに関するものである。
【背景の技術】
【０００２】  従来の波エネルギー利用による発電装置は、数多くの研究者達が日夜を問わず更なる出力向上を目指して研究に励んでいる。
【発明の開示】
【発明が解決しようとする課題】
【０００３】  上記に述べた従来の発電の現状を踏まえ、より安定した波力発電による電気が提供できることを課題とする。
【問題を解決するための手段】
【０００４】  この問題を解決するための請求項１の発明は、上記目的を達成するために、海中から海面上に立ち上げた側壁を両側に設置し、寄せ波と引き波の通路を作りその通路を寄せ波、引き波を行ききさせ。
【０００５】  その通路に、水鳥の足の形状した半浮体の波動板上端軸のところに異なった角度のレバーのある波動板を設置し、波動板とレバーは一体であり波動板は波の行ききに逆らうことなく軸中心に運動を繰り返す。
【０００６】  波動板の上端レバーの両端にチェーンからなる複合伝動棒を接続、複合伝動棒は波動板が動くことにより交互に往復運動を起こし、はずみ車が接続された、一方向回転歯車を回転させる。
【０００７】  はずみ車に接続されたローラーは変速ローラーを回し発電に必要な回転により発電機を回転させる。
【０００８】  高台に水を送るとき、送水ポンプは変速ローラーで調整された回転を受けて高台に水を運ぶことができる。
【０００９】  また請求項２の本発明は、波の通路が長く通路が複数であり、水鳥の足の形状をした波動板の位置が異なることにより、
複合伝動棒を経て、はずみ車により長く回転力を注ぐことになり、はずみ車は、さらに強力な回転力を維持し発電機はより多く発電することができる。
【発明の効果】
【００１０】  本発明により、従来のシステムではなし得なかった安定した発電と発電量など従来の波力発電装置のいくつかの欠点を除き、本発明の、まったく異なるシステムをもとに実験と工夫を繰り返しながら安定した発電と発電量を可能にした。
【発明を実施するための最良の形態】
【００１１】  以下、本発明の実施の形態を図１〜図３を基に説明する。【００１２】  図において１は、自然の強烈な波の衝撃を受ける側壁２を支える基礎１であり複合支柱２は波の通路２６の両側に設置し上部で、波動板１６の軸４を支え干潮時１８満潮時１７の波動板１６の軸の上下移動のガイドレール３６を設けている。【００１３】  半浮体波動板１６の軸４にロープ２３が接続され、ガイドローラー２５を経て垂れ下り先端に重り２２Ａを結び、波動板１６の海面の浮き沈みを最適にコントロールすることにより、波動板１６は最大限の波エネルギーを吸収できる。【００１４】  半浮体波動板１６水鳥の足の形状は強烈な寄せ波を受けたさい横ぶれを防ぐ。【００１５】  伸縮バネ６は強烈な寄せ波を受けたさい、チェーン７にかかる過剰な衝撃を防ぎ円滑に、はずみ車が接続された一方向回転歯車を回すことが出来る。【００１６】  波動板１６上端軸４のところに異なった角度のレバー３は波動板１６と一体であり波動板が動くことにより、レバー３の両端に接続されたチェーン７からなる複合伝動棒５は往復運動行う。【００１７】  また寄せ波と引き波の波質が異なるためチェーン７が引く寄せ波と引き波のバランスをとるため、複合伝動棒のレバー３の接続位置１３で調整し寄せ波も引き波も同じ力で、はずみ車が接続された一方向回転歯車を回す。【００１８】  複合伝動棒５の往復により接続されている一方向回転歯車８が回転し、歯車８から垂れ下がったチェーン７の先端に重り２２Ｂを結びチェーン７のたるみを防ぎ、はずみ車１４はより安定した回転ができる。【００１９】  はずみ車１４に接続されているローラー１１は伝動ベルト１２により変速ローラー３２を回し発電機１５が回転し発電する。以上のように、本発明は、従来のシステムとはまったく異なるシテムの基に、実験と工夫を繰り返しながら従来の波力発電のいくつかの不具合を除き、寄せ波、引き波の通路２６はずみ車１４を設け無限の波エネルギーから最大限の発電が出来るようにした。
【図面の簡単な説明】
【００２０】
【図１】  本発明の寄せ波、引き波からなる発電システムの平面図。
【図２】  Ｂ面から見た波動板の正面図。
【図３】  波動板の側面図。
【図４】  本発明の発電システムのＡ−Ａから見た側面図。
【符号の説明】
【００２１】１複合支柱の基礎    ２複合支柱    ３波動板のレバー    ４波動板の軸    ５複合チェーンからなる伝動棒    ６伸縮バネ    ７伝動チェーン    ８一方向回転歯車    ９支柱    １０回転軸    １１ローラー    １２ベルト    １３伝動棒の位置の移動    １４はずみ車    １５発電機    １６波動板    １７満潮時海面    １８干潮時海面    １９寄せ波時の波動板位置    ２０引き波時の波動板の位置    ２１床    ２２重りＡ    ２２重りＢ    ２３ロープ    ２４波防壁    ２５ガイドローラー    ２６波の通路    ２７海面    ２８軸受け台    ２９複合支柱の繋ぎ梁    ３０干潮時の波動板の軸の位置    ３１満潮時の波動板の軸の位置    ３２変速ローラー    ３３複合伝動棒の振れ止めアーム    ３４触れ止めアームの軸    ３５波動板軸穴    ３６干潮時、満潮時の波動板のガイドレール。
【図１】
2009150373.tif 000003
【図２】
2009150373.tif 000004
【図３】
2009150373.tif 000005
【図４】
2009150373.tif 000006
【手続補正書】
【提出日】平成20年1月31日(2008.1.31)
【手続補正１】
【補正対象書類名】明細書
【補正対象項目名】００１１
【補正方法】変更
【補正の内容】
【００１１】以下、本発明の実施の形態を図１〜図４を基に説明する。